(57)【特許請求の範囲】
【請求項１】
筒状の巻芯上に糸をスパイラル状に巻付けたチーズと、そのチーズの軸方向両端に設けられる２枚のフランジとから成り、前記フランジのそれぞれ中心部に筒体を設け、この筒体を巻芯の端部内に圧入してフランジとチーズとを結合一体化し、前記フランジのチーズの側面と対向する一側面の外周部にフランジの外径端側を厚肉として外周部がチーズの側面と外径面の交差部に密着するテーパ面を設け、そのテーパ面の小径円より内側にチーズの側面に密着し、又は、食い込む線状の複数のリブを放射状に設けた糸巻リール。
【請求項２】
前記フランジの筒体内にフランジを端部に有する保持軸を挿入して相対的に回転自在に支持し、かつ抜け止めした請求項１に記載の糸巻リール。
【発明の詳細な説明】
【０００１】
【発明の属する技術分野】
この発明は、土地を測量する際に使用される水糸や漁具糸等の糸を巻取る糸巻リールに関するものである。
【０００２】
【従来の技術】
一般に、土地の測量に使用される水糸は糸巻リールに巻取られている。その水糸を巻取る糸巻リールは、巻芯の両端部にフランジが一体に設けられている。
【０００３】
【発明が解決しようとする課題】
ところで、巻芯とフランジとが一体の糸巻リールにおいては、巻芯上に水糸を巻取る場合、巻芯に対して水糸を傾斜させるとフランジに当るため、スパイラル状の巻取りとすることができない。
【０００４】
そこで、従来は、巻芯に対して水糸がほぼ直交する状態で水糸を巻取るようにしている。このとき、先に巻取られた水糸と、その上に巻取られた水糸はほぼ同方向に向くため、糸巻リールから水糸を引き出して緊張させる使用時に水糸が切れ、あるいは、糸巻リールから引き出された水糸を巻取る際に水糸の先端が指先から外れると、水糸の先端が巻糸中に食い込み、その先端を探し出すことはきわめて困難であった。
【０００５】
また、糸巻リールから水糸を引き出す際、フランジの側面に沿う水糸は、フランジと巻糸の対向面間に食い込むことが多くあり、水糸をスムーズに引き出すことができないという不都合もあった。
【０００６】
この発明の課題は、水糸等の糸の引き出し途中に糸が切断しても、糸の先端が巻糸側に食い込むのを確実に防止することができると共に、糸を常にスムーズに引き出すことができるようにした糸巻リールを提供することである。
【０００７】
【課題を解決するための手段】
上記の課題を解決するために、この発明においては、筒状の巻芯上に糸をスパイラル状に巻付けたチーズと、そのチーズの軸方向両端に設けられる２枚のフランジとから成り、前記フランジのそれぞれ中心部に筒体を設け、この筒体を巻芯の端部内に圧入してフランジとチーズとを結合一体化し、前記フランジのチーズの側面と対向する一側面の外周部にフランジの外径端側を厚肉として外周部がチーズの側面と外径面の交差部に密着するテーパ面を設け、そのテーパ面の小径円より内側にチーズの側面に密着し、又は、食い込む線状の複数のリブを放射状に設けた構成を採用したのである。
【０００８】
上記のように、糸を巻取る巻芯と２枚のフランジとを、そのフランジに設けた筒体の圧入による組立て式とすることにより、巻芯に対する糸の巻付けに、糸が巻芯に対して大きく傾斜するスパイラル状の巻取り法を採用することができる。そのような巻取り法の採用によって、巻糸の糸は右傾斜と左傾斜とを繰り返す巻き取りとされ、その傾斜する糸によって糸の先端が巻糸内に食い込むのを防止することができる。
【０００９】
また、巻糸の傾斜する糸は、巻糸の両側面において傾斜の向きを変えるため、糸の引き出し時に、チーズの側面とフランジ間に食い込むことがなく、糸を常にスムーズに引き出すことができる。
【００１０】
さらに、フランジのチーズ側面と対向する一側面に線状のリブを放射状に設けたことにより、フランジの組立て時にリブはチーズの側面に密着し、又は食い込むため、チーズの側面とフランジの対向面間への糸の食い込みをより確実に防止することができる。
【００１１】
また、フランジの筒体内にフランジを端部に有する保持軸を挿入して相対的に回転自在に支持し、かつ抜け止めすることにより、保持軸の端部のフランジを指で挟むことにより、糸巻リールを回転自在に支持することができるため、糸をスムーズに引き出すことができる。
【００１２】
【発明の実施の形態】
以下、この発明の実施の形態を図面に基づいて説明する。図示のように、糸巻リールはチーズ１と、そのチーズ１の両側に取付けられる２枚のフランジ１０とを有している。
【００１３】
チーズ１は、筒状の巻芯２と、その外周に巻付けられた巻糸３とから成り、上記巻糸３の糸３ａはスパイラル状の巻取りとされて巻糸３の両側面において傾斜の向きを変更している。糸３ａのスパイラル状の巻取りによって形成された巻糸３は一般にチーズ巻きと称され、保型性を有している。
【００１４】
フランジ１０は巻芯２の端部内に圧入される筒体１１を中心に有し、その筒体１１の外周に軸方向に延びる複数のリブ１２が円周方向に等間隔に形成されている。また、フランジ１０の筒体１１が形成された一側面の外周部には筒体１１の突出方向に傾斜するテーパ面１３が設けられ、内周部には線状のリブ１４が放射状に形成されている。
【００１５】
上記フランジ１０は巻芯２の端部内に筒体１１を圧入することによってチーズ１と結合一体化される。
【００１６】
チーズ１とフランジ１０の結合状態において、フランジ１０のテーパ面１３はチーズ１側面で押圧され、その押圧によりフランジ１０の外周部は外側方に弾性変形し、その復元弾性でテーパ面１３がチーズ１の側面に密着し、また、線状のリブ１４は巻糸３の側面に密着し、又は食い込む状態とされる。
【００１７】
なお、フランジ１０の結合一体化を強固なものとするため、筒体１１と巻芯２を接着剤により固着してもよい。
【００１８】
２枚のフランジ１０のうち、一方のフランジ１０には、外周から内方向に向く糸掛け用の切り込み１５が形成され、その切り込み１５に巻糸３の先端部が挿入可能とされている。また、上記フランジ１０には上記切り込み１５から巻糸３の巻取り方向前側に膨出部１６が設けられ、その膨出部１６の外周に形成された糸挿入溝１７に糸切断用刃物１８の切り刃１８ａが臨んでいる。
【００１９】
筒体１１の内部には保持軸２０が挿入されている。保持軸２０は一端にフランジ２１を有し、他端部には軸方向に延びる複数のスリット２２が形成され、隣接するスリット２２間に設けられた弾性片２３の先端部外周に筒体１１の先端面と係合可能な突部２４が形成されている。突部２４の先端部外周にはテーパ面２５が設けられている。
【００２０】
保持軸２０は、フランジ１０の他側面から筒体１１の内部に挿入される。その挿入時、弾性片２３は筒体１１の内周と突部２４のテーパ面２５との接触によって半径方向内方に弾性変形し、上記突部２４が筒体１１の先端より突出すると、弾性片２３が形状復元して突部２４が筒体１１の先端面と軸方向で対向し、上記筒体１１の先端面に対する突部２４の当接によって保持軸２０は抜け止めされる。保持軸２０の抜け止め状態において、一端のフランジ２１は筒体１１の後端部内周に形成された凹部１９内に収納される。
【００２１】
実施の形態で示す糸巻リールは上記の構造から成り、糸３ａの引き出しに際しては、２枚のフランジ１０のそれぞれに支持された保持軸２０の端部のフランジ２１を指先で挟持してチーズ１およびそれに一体化された一対のフランジ１０から成るリール本体を回転自在に支持する。その支持状態において糸３ａを引き出すことにより、保持軸２０に対してリール本体が回転し、糸３ａをスムーズに引き出すことができる。
【００２２】
ここで、巻芯２上に巻付けられた巻糸３の糸３ａはスパイラル状の巻付けであって右傾斜と左傾斜を繰り返す巻付けであるため、糸３ａを緊張しつつ引き出す途中において糸３ａが切れ、あるいは繰り出された糸３ａを緊張させつつ巻糸３上に巻付ける際に指先から糸３ａの先端が外れたとしても、その糸ａの先端部は巻糸３の外周の傾斜状の糸３ａによって巻糸３に食い込むのが防止される。
【００２３】
このため、糸３ａの先端を確実に探し出すことができ、糸３ａを再度引き出す作業を能率よく行なうことができる。
【００２４】
また、巻糸３の糸３ａは巻芯２に対して傾斜してフランジ１０の内面に接触する位置で傾斜の向きを変更しているため、フランジ１０の内面に沿う状態で糸３ａが引き出されることはない。このため、糸３ａの引き出し時、チーズ１とフランジ１０の対向面間に糸３ａが食い込むという不都合の発生はきわめて少なく、糸３ａを常にスムーズに引き出すことができる。
【００２５】
実施の形態のように、フランジ１０の内面に線状のリブ１４を放射状に設けることによって、フランジ１０の筒体１１を巻芯２の端部内に圧入するフランジ１０の組立て時に、前記リブ１４はチーズ１の側面に密着し、又は食い込むため、チーズ１とフランジ１０の対向面間への糸３ａの食い込みをより効果的に防止することができる。
【００２６】
【発明の効果】
以上のように、この発明においては、巻芯の端部内にフランジの筒体を圧入して巻芯とフランジとを結合一体化する組立て式としたことにより、巻芯の外周に対して糸をスパイラル状の巻付けとすることができる。
【００２７】
このため、糸を緊張させつつ引き出す場合に糸が切れ、あるいは糸を緊張させつつ巻糸上に巻付ける際に糸の先端が指先から離れたとしても、糸は巻糸に食い込むことはなく、糸の先端を確実に探し出すことができ、糸を完全消費することができる。
【００２８】
また、スパイラル状に巻付けられた糸はフランジの内面と接触する位置で傾斜の向きが変更するため、糸の引き出し時に、チーズとフランジの側面間に糸が食い込むことが少なく、糸を常にスムーズに引き出すことができる。
【図面の簡単な説明】
【図１】この発明に係る糸巻リールの正面図
【図２】図１に示す糸巻リールの縦断正面図
【図３】図１に係る糸巻リールの巻芯とフランジの接続部を示す断面図
【図４】図１に示す糸巻リールの分解斜視図
【符号の説明】
１  チーズ
２  巻芯
３  巻糸
１０  フランジ
１１  筒体
１４  リブ
２０  保持軸
２１  フランジ
【図１】
0004299930.tif 000002
【図２】
0004299930.tif 000003
【図３】
0004299930.tif 000004
【図４】
0004299930.tif 000005